(57)【特許請求の範囲】
【請求項１】
ハウジング内の密閉中空部内に、指針軸によって回転自在に支持された磁石ロータがダンパー油と共に挿入されて該磁石ロータの一部が前記ダンパー油内に浸漬され、該ハウジングの周囲に巻装された駆動コイルのつくる駆動磁界により、該磁石ロータを回転させる計器において、
前記ハウジングの内壁面に設けられ、前記指針軸が挿入される軸孔の周囲に、該磁石ロータの上方移動を制限する環状凸部が該磁石ロータの上面と当接可能に設けられ、
該環状凸部には、前記該環状凸部の内側にダンパー油が付着した際に前記磁石ロータの上方移動により該環状凸部の内側に圧力が加わった場合には、該環状凸部の内側の前記ダンパー油を外に逃すための切欠き部が設けられていることを特徴とする計器。
【請求項２】
前記環状凸部には前記切欠部が約９０°の間隔で４個設けられたことを特徴とする請求項１載の計器。
【発明の詳細な説明】
【０００１】
【発明の属する技術分野】
本発明は、車両用計器等に使用される計器に関し、特に、ハウジング内の密閉中空部内に、指針軸に支持された磁石ロータをダンパー油と共に挿入し、ハウジング外周に巻装した駆動コイルの磁界により、磁石ロータを回転させて、指針を回動させる計器に関する。
【０００２】
【従来の技術】
従来、ハウジング内の密閉中空部内に、指針軸によって回転自在に支持された磁石ロータをダンパー油と共に挿入し、ハウジングの周囲に巻装された駆動コイルのつくる駆動磁界により、磁石ロータを回転させて、指針を動かす計器が、車両用計器等において広く使用されている。
【０００３】
この種の計器は、ハウジング内の密閉中空部内に磁石ロータと共にダンパー油を入れ、磁石ロータの回転時には、このダンパー油の粘性抵抗により、磁石ロータ、指針軸の動きを抑制或は緩慢にして、指針の指示動作が安定して行なわれるようにしている。また、指針軸には、通常、同一外径のシャフトが使用され、その軸受は主にラジアル方向の荷重を受ける構造である。
【０００４】
そこで、ハウジング内上部壁面に、突起部を軸孔の周囲に突設し、その突起部が、磁石ロータの上面と接触可能にすることにより、指針軸、磁石ロータのスラスト荷重を受け、指針軸組付体のスラスト方向への移動を制限する構造の計器が開発されている。
【０００５】
【発明が解決しようとする課題】
ハウジング内の密閉空間には、ダンパー油が充填され、磁石ロータの一部をダンパー油内に浸漬させ、その粘性抵抗により磁石ロータを含む指針軸組付体の動きを抑制しているが、指針の回転時や振動などが加わった場合、ダンパー油がその表面張力によりハウジング内上面の軸孔の周辺つまり突起部で囲まれた部分に付着する。
【０００６】
このとき、計器に振動等が加わり、指針組付体がその軸方向に移動した場合、突起部で囲まれた部分で、指針軸の周囲や磁石ロータの中心部付近に付着したダンパー油が、磁石ロータにより加圧されて、指針軸を支持する上軸受部側に押し上げられ、指針軸と上軸受部間の僅かな隙間から、ダンパー油が漏洩し、計器の文字盤などを油で汚したり、ダンパー油を不足させ、指針のダンパー効果が低下する問題があった。
【０００７】
特に、計器の厚さをできるだけ薄くする扁平化を図った計器では、上軸受部の厚さ（軸方向の厚さ）が薄くなるため、さらにダンパー油が上軸受部から外に漏洩ししやすくなる問題があった。
【０００８】
本発明は、上記の点に鑑みてなされたもので、ハウジング内からのダンパー油の漏洩を防止し得る計器を提供することを目的とする。
【０００９】
【課題を解決するための手段】
上記目的を達成するために、本発明の請求項１の計器は、ハウジング内の密閉中空部内に、指針軸によって回転自在に支持された磁石ロータがダンパー油と共に挿入されて該磁石ロータの一部が前記ダンパー油内に浸漬され、該ハウジングの周囲に巻装された駆動コイルのつくる駆動磁界により、該磁石ロータを回転させる計器において、前記ハウジングの内壁面に設けられ、前記指針軸が挿入される軸孔の周囲に、該磁石ロータの上方移動を制限する環状凸部が該磁石ロータの上面と当接可能に設けられ、該環状凸部には、前記該環状凸部の内側にダンパー油が付着した際に前記磁石ロータの上方移動により該環状凸部の内側に圧力が加わった場合には、該環状凸部の内側の前記ダンパー油を外に逃すための切欠き部がに設けられていることを特徴とする。
【００１２】
また、請求項２のように、上記環状凸部には、切欠部を約９０°の間隔で４個設けることができる。
【００１３】
【発明の作用・効果】
上記構成の計器では、駆動コイルへの通電時、磁石ロータと共に指針軸が、駆動コイルにより生じる磁界に応じて回動し、指針はその指示値を指す。このとき、磁石ロータは、ハウジング内のダンパー油の粘性抵抗を受けながら回転し、指針軸の回動は抑制され或は緩慢となり、指針は安定した指示動作を行なう。
【００１４】
計器に振動等が加わり、磁石ロータを含む指針軸がハウジング内でその軸方向に移動した場合、ハウンジングの内壁面に設けた制限当接部に磁石ロータの上面が当接し、磁石ロータの上方移動が制限される。
【００１５】
このとき、ハウジングの内壁面の軸孔の周囲に、ダンパー油が付着していた場合、磁石ロータの押圧によりダンパー油が圧力を受けるが、圧力を受けたダンパー油は制限当接部に設けた通路部から逃げるため、上軸受部の内側にダンパー油の圧力がかかることはなく、ダンパー油が上軸受部と指針軸との隙間から漏洩することは防止される。従って、ダンパー油の漏れにより文字盤を汚したり、ダンパー油が不足することがなくなり、計器の耐久性を向上させることができる。
【００１６】
また、このように、上軸受部の隙間からダンパー油が漏れ出す恐れを解消できるから、上軸受部の厚さを薄くして計器の厚さを薄くして計器の扁平化を図ることができる。
【００１７】
【発明の実施の形態】
以下、本発明の実施の形態を図面に基づいて説明する。図１は本発明を適用した交差コイル式計器の断面図を示している。２は合成樹脂製のアッパーハウジング、３は合成樹脂製のロアーハウジングであり、アッパーハウジング２とロアーハウジング３を組み合わせてハウジング１が形成される。
【００１８】
ハウジング１内には、密閉された中空部が形成され、その中空部内にフェライト等の永久磁石製の磁石ロータ７が回転自在に配設される。
【００１９】
その磁石ロータ７の中央に指針軸４が嵌挿・固定され、その下方に指針軸４の下軸部が突出し、指針軸４の上部には上軸部が突出する。そして、下軸部はロアーハウジング３の中央に設けられた下軸受部６により支持され、上軸部はアッパーハウジング２の中央に設けられた上軸受部５により支持される。上軸受部５の長さは可能な限り短く形成され、これによって、アッパーハウジング２の形状を薄くし、ハウジング１全体を薄型とすることにより、計器の扁平化を図っている。
【００２０】
なお、下軸受部６の奥に位置する鋼球１７は、指針軸４への指針の圧入時にハウジング側の変形を防止するために挿入されたものである。
【００２１】
上記のようにアッパーハウジング２の中央には、上軸受部５が形成され、そこには指針軸４を挿入するための軸孔が設けられるが、このアッパーハウジング２の内壁面における軸孔の周囲には、図２に示すように、制限当接部として環状凸部８が突設される。そして、この環状凸部８には、その内側のダンパー油を外に逃すための通路部として、約９０°の間隔で、４つの切欠部９が設けられる。
【００２２】
この切欠部９は、ハウジング内壁面と同じ平坦部を構成する。この分割された環状凸部８の高さは非常に低く小さいものであるが、磁石ロータ７にスラスト方向の荷重がかかり、それが軸方向に移動した際、この環状凸部８が磁石ロータ７の上面に当ってその移動を制限し、そのスラスト荷重を受ける。
【００２３】
また、アッパーハウジング２の外周部には、図２のように内面（底面）からアッパーハウジング２を観た場合、左右両側に文字盤取付部１０が突設され、上下両側にコイルボビンのセパレータ１１が突設され、更に、各文字盤取付部１０と各セパレータ１１の間の４箇所には、４個のターミナルガイド１２がターミナル１６を取り付けるために設けられる。
【００２４】
一方、ハウジング１の外周には、合計４本の駆動コイル１３が相互に直交する方向に巻装される。さらに、ハウジング１内の中空部には、磁石ロータ７に粘性抵抗を付与してその動きを抑制するためのダンパー油（例えば、シリコンオイル）１４が封入される。ハウジング１から上方に突出した指針軸４の先端には、図示しない指針が嵌着される。
【００２５】
ターミナル１６はピン状に形成されると共に、その上部に板状の接続部を設けて形成され、４本のターミナルは、その上部の板状の接続部をターミナルガイド１２に挿入すると共に、ロアーハウジング３の外周部に設けた孔に下側から差し込み、嵌着される。ハウジング１の周囲に巻装した駆動コイル１３の末端は、これらのターミナル１６の上端に接続される。さらに、ハウジング１の外周及び底部を包囲するように、金属製のシールドケース１５が下側から被せられる。
【００２６】
このように構成された交差コイル式計器は、使用時、交差する４本の駆動コイル１３に信号電流が、一定時間間隔で間欠的に供給され、４本の駆動コイル１３と磁石ロータ７とによって発生する磁界の合成ベクトルに応じて、指針軸４が回転し、指針が電流値に応じた値を指示する。
【００２７】
このように、駆動コイル１３には電流が供給され、指針軸４、磁石ロータ７が回転して指針の指示動作を行なうが、このとき、ダンパー油１４がハウジング１内の密閉空間に１／３程度充填され、磁石ロータ７の一部がダンパー油１４内に浸漬されているため、その粘性抵抗により磁石ロータ７を含む指針軸組付体の動きが抑制され、指針は安定した指示動作を行なう。
【００２８】
計器に振動等が加わり、指針軸４、磁石ロータ７を含む指針軸組付体が軸方向に振動した場合、指針軸４、磁石ロータ７の動きは、アッパーハウジング２の内壁の環状凸部８に磁石ロータ７の上面が当ることにより、制限され、そのスラスト方向の荷重は、環状凸部８で受けられるが、この時、環状凸部８の内側にダンパー油が付着していた場合、その部分のダンパー油に圧力がかかる。しかし、この環状凸部８には切欠部９が設けられているため、その切欠部９からダンパー油が環状凸部８の外に押し出され、環状凸部８内のダンパー油の圧力上昇は抑制される。このため、ダンパー油が上軸受部５の隙間から漏れ出る不具合を防止することができる。
【００２９】
このように、アッパーハウジング２の内壁面における上軸受部の軸孔の周囲に環状凸部８を設け、その環状凸部８に切欠部９を設けたから、環状凸部８の内側にダンパー油が付着し、振動等による磁石ロータの移動により、そこに圧力がかかった場合でも、ダンパー油の圧力はその切欠部９から抜けるため、環状凸部８内に圧力はかからず、ダンパー油が上軸受部５の隙間から漏れ出ることは防止される。従って、扁平化して上軸受部を短くした計器であっても、ダンパー油の漏洩を効果的に防止し、文字盤をダンパー油で汚したり、ダンパー油の不足を生じたりする問題を解消することができる。
【図面の簡単な説明】
【図１】本発明の一実施例を示す交差コイル式計器の縦断面図である。
【図２】アッパーハウジング２の底面図である。
【符号の説明】
１−ハウジング
２−アッパーハウジング
３−ロアーハウジング
４−指針軸
５−上軸受部
６−下軸受部
７−磁石ロータ
８−環状凸部
９−切欠部
１４−ダンパー油
【図１】
0003606056.tif 000002
【図２】
0003606056.tif 000003